(57)【要約】【課題】電気代、水道代等のランニングコストをかけずに自然に冷却した空気を凝縮器へ送って、凝縮器の冷却効率を向上させること。【解決手段】屋外に設置される室外機１の凝縮器３の風上側に近接して空気冷却装置４０を配設する。この空気冷却装置４０は、筒状であって、一端側を空気の吸込口３４とし、他端側は空気が吐出され前記吸込口３４の径より小径とした吐出口３５からなる多数個の空気冷却体３３と、前記空気冷却体３３を多数配設する平板状の支持体３６とで構成されている。これにより、補助冷却装置１０を用いていないので、補助冷却装置１０に必要な電気代、水道代等を不要としてランニングコストをゼロとすることができる。【選択図】図８
2018004205.tif 000002
【特許請求の範囲】
【請求項１】
屋外に設置される室外機（１）の凝縮器（３）の風上側に近接して空気冷却装置（４０）を配設し、
前記空気冷却装置（４０）は、
筒状であって、一端側を空気の吸込口（３４）とし、他端側は空気が吐出され前記吸込口（３４）の径より小径とした吐出口（３５）からなる多数個の空気冷却体（３３）と、
前記空気冷却体（３３）を多数配設する平板状の支持体（３６）とで構成されている
ことを特徴とする凝縮器の補助冷却装置。
【請求項２】
前記空気冷却装置（４０）と同様の構成とした第２の空気冷却装置（４０）を、前記凝縮器（３）に近接した配置した前記空気冷却装置（４０）の風上側に前記第２の空気冷却装置（４０）を配設していることを特徴とする請求項１に記載の凝縮器の補助冷却装置。
【請求項３】
冬場においては、前記空気冷却装置（４０）を逆向きに配置していることを特徴とする請求項１または請求項２に記載の凝縮器の補助冷却装置。
【請求項４】
屋外に設置される室外機（１）の凝縮器（３）の風上側に近接して保水材（３０）を配設し、
前記保水材（３０）は、上方より滴下される水により湿潤されて、気化する際の潜熱にて吸気された空気の温度を低下させるものであり、
この温度が低下した空気により前記凝縮器（３）を冷却させ、
前記保水材（３０）から流下した水を水回収装置（１３）にて回収し、
前記水回収装置（１３）の水をポンプ（１４）を駆動して給水管（１５）を介して前記保水材（３０）へ循環させるようにした凝縮器の補助冷却装置であって、
前記保水材（３０）の風上側に近接して空気冷却装置（４０）を配設し、
前記空気冷却装置（４０）は、
筒状であって、一端側を空気の吸込口（３４）とし、他端側は空気が吐出され前記吸込口（３４）の径より小径とした吐出口（３５）からなる多数個の空気冷却体（３３）と、
前記空気冷却体（３３）を多数配設する平板状の支持体（３６）とで構成されている
ことを特徴とする凝縮器の補助冷却装置。
【請求項５】
前記室外機（１）の凝縮器（３）の風上側と、前記保水材（３０）の風下側との間に前記空気冷却装置（４０）を配設していることを特徴とする請求項４に記載の凝縮器の補助冷却装置。
【請求項６】
冬場においては、前記空気冷却装置（４０）を逆向きに配置していることを特徴とする請求項４または請求項５に記載の凝縮器の補助冷却装置。
【発明の詳細な説明】
【技術分野】
【０００１】
本発明は、空調、冷凍、冷蔵装置等に用いられている空冷式の凝縮器の補助冷却装置に関するものであり、より詳しくは夏場等の外気温が高い時に空気調和機の凝縮器の吸い込み空気の温度を冷却するための凝縮器の補助冷却装置に関するものである。
【背景技術】
【０００２】
空調、冷凍、冷蔵装置等の冷凍サイクルに用いられる凝縮器は、熱交換方式により水冷式と空冷式とがあり、水冷式は熱交換効率が高く、夏場の高温時にも、外気の影響が少なく、比較的安定した庫内、室内温度を保つことができるが、装置構造が複雑で高価であり、維持管理に経費が掛かるという問題がある。
一方、空冷式は装置構造が簡便なため安価であるが、夏場の高温時等に庫内、室内の冷却効率が落ちるという問題がある。この問題を補う空冷式の凝縮器の補助冷却装置としては、例えば、特許文献１に示すように、凝縮器の放熱フィンに水を直接散布して冷却効率を向上させる補助冷却装置が知られている。
【先行技術文献】
【特許文献】
【０００３】
【特許文献１】特開平１０−２１３３６１号公報
【０００４】
上記特許文献１に記載の補助冷却装置は、空調室外機の凝縮器の放熱フィンに、スプレーノズルにより細かい粒状または霧状の水をほぼ均一に散布するものであり、この散布した水の蒸発潜熱によって放熱フィンを冷却するものである。
【０００５】
しかしながら、この特許文献１は、夏場の高温時に凝縮器の放熱フィンにノズルにより直接水道水を散水し、冷却効率を向上させるものの、運転を長期にわたって続ける間に放熱フィンの表面に水垢・スケール等が付着するために、空冷運転時の熱交換効率の低下や放熱フィンの腐食などが発生するという問題がある。特に、放熱フィンの腐食、経年劣化が著しく、５〜６年で放熱フィンあるいは凝縮器自体を交換する必要が生じ、結果として高価になるという問題があった。
【０００６】
この問題を補う空冷式凝縮器の補助冷却装置としては、例えば、下記に示す特許文献２が挙げられる。
【０００７】
【特許文献２】特開２００４−３８０６号公報
【０００８】
この特許文献２示す補助冷却装置は、凝縮器の放熱フィンの近傍にクーリングマットを放熱フィンから一定距離を離して設置し、このクーリングマットに冷却水を流下させて凝縮器の吸い込み空気を冷却させるようにしたものである。
しかしながら、この特許文献２に用いられているクーリングマットは、繊維状のものを用いているために、構造上冷却効率が低く、さらに目詰まりによる圧力損失が増大していく等の不具合がある。
【０００９】
この特許文献２の不具合を解決するようにしたものとして、例えば、下記に示す特許文献３が挙げられる。
【００１０】
【特許文献３】特開２００９−２３６３７０号公報
【００１１】
この特許文献３に記載されている補助冷却装置は、図１２に示すように、空冷式凝縮器１００の吸い込み空気の上流側に充填材１０１が配置されたものであり、この充填材１０１は、吸い込み空気の方向に所定の厚みを有している。そして、充填材１０１に上方から水を流し、充填材１０１の下部から流れ出る水を回収容器１０２で回収している。
【００１２】
この回収容器１０２に回収された水は、ポンプ１０３により給水管１０４を介して充填材１０１の上方まで汲み上げられ、この汲み上げられた水は、水供給容器１０５が備える複数の排水口を通って、充填材１０１の上方から内部に一様に流すようにしている。充填材１０１内で水を流下させて、凝縮器１００の吸気によって充填材１０１内の水を蒸発させることで、気化熱の作用で吸気冷却を行なっている。
【００１３】
また、本出願人が出願したものとして、下記の特許文献４が挙げられる。
【００１４】
【特許文献４】実用新案登録第３１７８０３８号公報（発行日：平成２４年８月３０日）
【００１５】
上記特許文献４は図１３〜図２０に示すような構成となっている。図１３は室外機１の吸い込み空気の上流側に補助冷却装置１０を設置した場合の凝縮器の空気冷却装置の概略構成を示しており、また、図１４は図１３のＡ方向から見た概略正面図を示している。
室外機１は、周知の構成であるため、詳細な説明は省略するが、室外機１のケース２の一方には凝縮器３が配置され、ケース２の上部には冷却ファン４が設けられている。なお、図示例では冷却ファン４をケース２の上部に設けているが、凝縮器３に対向した位置に冷却ファン４が設けられている場合もある。
【００１６】
補助冷却装置１０は、気化式空気冷却装置１１と、この気化式空気冷却装置１１から排水管１２を介して排水される水を回収する水回収装置１３と、この水回収装置１３に貯溜している水をポンプ１４を介して前記気化式空気冷却装置１１側に送る給水管１５と、この給水管１５からの水を気化式空気冷却装置１１の上面に給水する給水装置１６等で構成されている。
【００１７】
なお、図１３では給水管１５を室外機１より右方に描いているが、実際の施工は室外機１の左方で、気化式空気冷却装置１１の側面に配管されるようになっている。しかし、補助冷却装置１０の気化式空気冷却装置１１は、凝縮器３の吸い込み空気の上流側に該室外機１に近接して配置されるが、他の水回収装置１３や給水管１５は任意の箇所に配置、施工される。
【００１８】
気化式空気冷却装置１１は、図１４に示すように、凝縮器３の大きさとほぼ同じか、若干大きめの大きさとしており、気化式空気冷却装置１１にて凝縮器３の空気の吸い込み面を覆う大きさである。
【００１９】
図１５は、周知な冷凍サイクルを示し、冷凍サイクルは、凝縮器３、圧縮器５、室内に設置される室内機内の蒸発器６、膨張弁７等で構成されており、それぞれ冷媒管８にて接続されている。
冷房運転時では、圧縮器５で冷媒管８内の冷媒が圧縮されて、冷媒は高温ガスになり、凝縮器３内を冷却ファン４にて気化する際の水の潜熱にて一定の温度に下げられ冷媒ガスは液化する。膨張弁７にて冷媒の圧力は急激に下げられ、冷媒ガスの潜熱で冷たくなり、蒸発器６で部屋の温度を熱交換を行ない、室内機から冷風が部屋内に送られて冷房が行なわれる。
【００２０】
ここでは、水回収装置１３内の水をポンプ１４、給水管１５を介して気化式空気冷却装置１１へ循環させ、気化式空気冷却装置１１内では水が気化する際の潜熱を利用して気化式空気冷却装置１１内で吸気された空気の温度を低下させ、この低下させた空気にて凝縮器３を冷却させるものである。
気化式空気冷却装置１１内を流下した水は排水管１２を介して水回収装置１３に回収される。
【００２１】
図１３に示すように、水回収装置１３へは、水道水等の補給水が補給水管２０から供給されるようになっており、補給水管２０にはフロート弁２１が介装されている。このフロート弁２１は、液面に浮かぶフロート２２が液面の高さに応じて上下方向に移動することにより開閉する弁である。
水回収装置１３の液面が所定の高さ以下になると、フロート２２が下降してフロート弁２１が開いて補給水管２０から水が供給される。また、補給水が供給されていって液面が所定の高さ以上になると、フロート２２が上昇してフロート弁２１が閉じられ、補給水管２０からの水の供給が停止される。
【００２２】
気化式空気冷却装置１１へ水回収装置１３からの水を循環させて給水する給水装置１６は、気化式空気冷却装置１１の幅方向と略同じ長さとし、例えばパイプに複数の穴を穿孔しておき、これらの穴から水を気化式空気冷却装置１１の上面に滴下ないし散水するものである。
【００２３】
なお、図１４に示すように気化式空気冷却装置１１の下部には排水樋２５が設けられており、この排水樋２５の端部に排水管１２が接続されて、気化式空気冷却装置１１から流下した水は水回収装置１３へ回収されるようになっている。
【００２４】
次に、気化式空気冷却装置１１の構成について説明する。気化式空気冷却装置１１は、図１３に示すように、外気が矢印に示すように吸い込まれて吐出される保水材３０にて構成されている。なお、この保水材３０は、一般に通称クーリングパッド（ Cooling Pad )と呼ばれ、木材のチップを加工した紙質と、ポリエチレンと、ガラス繊維で構成され従来より市販されている。
また、このクーリングパッドは、主に畜舎並びに園芸用施設の温度を下げるために用いられるものであり、日本では、無窓畜舎、施設園芸用温室で広く使用されているものである。
【００２５】
図１６〜図１９は保水材３０の作り方を示しており、保水材３０の構造を理解し易いように、この保水材３０の構造について説明する。図１６において、波形形状をした波板材５１を多層に積層して形成するものであり、それぞれの波板材５１は、強固に加工された紙で出来ている。なお、波板材５１の波形形状で形成されて連続して形成される溝５２が、空気の流通路となる。
上下の波板材５１を吸気方向に対して互い違いに任意の角度、例えば、３０°前後に組み合わせ、上の波板材５１の波の下側の頂点と、下の波板材５１の波の上側の頂点とが交差する点、つまり、図１７に示す黒丸（●）の部分を接着剤にて接着し、上下の波板材５１を接着固定する。
【００２６】
このようにして波板材５１を多数積層したのが図１８に示す保水材本体５５であり、この保水材本体５５を図中矢印のα方向にカッター等にて切断することで、任意の厚みの保水材片５６を得る。そして、図１９に示すように、縦方向、横方向の矢印β、γハに示すようにカッター等にて切断することで、任意の大きさの保水材３０を形成することができる。
【００２７】
なお、保水材３０は、任意の厚みや大きさを容易に製作することができ、また、波板材５１を上下に積層する際に、波板材５１を任意の角度で傾斜して積層することで、外気の吸気方向に対する波板材５１の各溝５２の傾斜角度も任意に形成することができる。また、図１６に示すように、溝５２の幅寸法Ｌや高さ寸法Ｈを任意に製作することができる。
【００２８】
図２０は上記のようにして製作された保水材３０の要部拡大断面図を示し、保水材３０の右方に凝縮器３が位置し、左方から矢印に示すように空気が保水材３０の溝５２（以後、この溝を「空気流通路」と称する。）を通過する。
この実線で示している空気流通路５２は例えば、３０°の傾きで上昇し、この実線で示されている空気流通路５２と幅方向で隣接し、破線で示している空気流通路５２は、例えば、３０°の傾きで下降している構成となっている。これらの空気流通路５２が保水材３０の上下方向及び左右方向に連続して形成されている。
【００２９】
この保水材３０に給水装置１６からの水が滴下され、保水材３０自体に水が吸水されて湿潤状態となり、同時に保水材３０の表面、つまり各空気流通路５２の表裏の面を水が流下していき、保水材３０に吸収されなかった水は保水材３０の表面を伝って水回収装置１３へと流れて回収される。
【００３０】
特に、保水材３０の材料として上述したように、木材のチップを加工した紙質と、ポリエチレンと、ガラス繊維で構成しているので、保水材３０自体に水が吸収されて湿潤状態となり、保水材３０から気化する際の潜熱にて保水材３０側に吸気された空気の温度を低下させることができる。これにより、凝縮器３を効率良く冷却することができる。
つまり、気化式空気冷却装置１１に水を循環させることにより、気化式空気冷却装置１１を通過する室外機１の吸い込み温度が気化潜熱で外気温度よりも下がり、且つ加湿効果により冷房能力の向上を図ることができる。
【００３１】
このように従来では、室外機１の凝縮器３の空気の吸い込み側に配設した気化式空気冷却装置１１に水を循環させることにより、補給水は蒸発した水の分だけとなり、水道代の上昇を抑えるようにしている。
また、凝縮器３を冷却させることで、空気調和機全体の消費電力を抑えることができるので、水を循環させるためのポンプ１４の電気代は、微々たるものであり、全体としての消費電力を抑えている。
【発明の概要】
【発明が解決しようとする課題】
【００３２】
上記特許文献２〜特許文献４では、室外機の風上側に水を湿潤状態にした保水材を配置し、保水材にて冷却した空気を室外機へ送り、凝縮器の冷却効率を向上させるようにしている。
【００３３】
しかしながら、特許文献４のように補助冷却装置１０を用いている場合、水を循環させるためにポンプ１４を用いていることから、ポンプ１４を駆動するための電気代がかかり、また、水を循環させている時の水の蒸発分だけ水を補給する必要がある。そのため、電気代、水道代等のランニングコストがかかってしまうという問題があった。
【００３４】
本発明は上述の問題点に鑑みて提供したものであって、少なくとも以下の目的を持った凝縮器の補助冷却装置を提供するものである。
（１）電気代、水道代等のランニングコストをかけずに自然に冷却した空気を凝縮器へ送って、凝縮器の冷却効率を向上させること。
（２）従来と同様に電気代、水道代等のランニングコストをかけた場合には、凝縮器に送る空気を一層冷却して凝縮器の冷却効率を向上させること。
【課題を解決するための手段】
【００３５】
そこで、本発明の請求項１に記載の凝縮器の補助冷却装置では、屋外に設置される室外機１の凝縮器３の風上側に近接して空気冷却装置４０を配設し、
前記空気冷却装置４０は、
筒状であって、一端側を空気の吸込口３４とし、他端側は空気が吐出され前記吸込口３４の径より小径とした吐出口３５からなる多数個の空気冷却体３３と、
前記空気冷却体３３を多数配設する平板状の支持体３６とで構成されていることを特徴としている。
【００３６】
請求項２に記載の凝縮器の補助冷却装置では、前記空気冷却装置４０と同様の構成とした第２の空気冷却装置４０を、前記凝縮器３に近接した配置した前記空気冷却装置４０の風上側に前記第２の空気冷却装置４０を配設していることを特徴としている。
【００３７】
請求項３に記載の凝縮器の補助冷却装置では、冬場においては、前記空気冷却装置４０を逆向きに配置していることを特徴としている。
【００３８】
請求項４に記載の凝縮器の補助冷却装置では、屋外に設置される室外機１の凝縮器３の風上側に近接して保水材３０を配設し、
前記保水材３０は、上方より滴下される水により湿潤されて、気化する際の潜熱にて吸気された空気の温度を低下させるものであり、
この温度が低下した空気により前記凝縮器３を冷却させ、
前記保水材３０から流下した水を水回収装置１３にて回収し、
前記水回収装置１３の水をポンプ１４を駆動して給水管１５を介して前記保水材３０へ循環させるようにした凝縮器の補助冷却装置であって、
前記保水材３０の風上側に近接して空気冷却装置４０を配設し、
前記空気冷却装置４０は、
筒状であって、一端側を空気の吸込口３４とし、他端側は空気が吐出され前記吸込口３４の径より小径とした吐出口３５からなる多数個の空気冷却体３３と、
前記空気冷却体３３を多数配設する平板状の支持体３６とで構成されていることを特徴としている。
【００３９】
請求項５に記載の凝縮器の補助冷却装置では、前記室外機１の凝縮器３の風上側と、前記保水材３０の風下側との間に前記空気冷却装置４０を配設していることを特徴としている。
【００４０】
請求項６に記載の凝縮器の補助冷却装置では、冬場においては、前記空気冷却装置４０を逆向きに配置していることを特徴としている。
【発明の効果】
【００４１】
本発明の請求項１に記載の凝縮器の補助冷却装置によれば、屋外に設置される室外機１の凝縮器３の風上側に近接して空気冷却装置４０を配設し、前記空気冷却装置４０は、筒状であって、一端側を空気の吸込口３４とし、他端側は空気が吐出され前記吸込口３４の径より小径とした吐出口３５からなる多数個の空気冷却体３３と、前記空気冷却体３３を多数配設する平板状の支持体３６とで構成されているものであり、補助冷却装置１０を用いていないので、補助冷却装置１０に必要な電気代、水道代等を不要としてランニングコストをゼロとすることができる。また、従来の補助冷却装置１０では水を循環させていたので、水の飛沫が凝縮器３等にかかっていたが、本実施形態では水を用いていないので、放熱フィンを腐食させることもない。
【００４２】
請求項２に記載の凝縮器の補助冷却装置によれば、前記空気冷却装置４０と同様の構成とした第２の空気冷却装置４０を、前記凝縮器３に近接した配置した前記空気冷却装置４０の風上側に前記第２の空気冷却装置４０を配設しているので、請求項１の効果に加えて、凝縮器３に送る空気の温度をさらに低下させて、凝縮器３の冷却効果を一層向上させることができる。
【００４３】
請求項３に記載の凝縮器の補助冷却装置によれば、冬場においては、前記空気冷却装置４０を逆向きに配置しているものであり、空気冷却装置４０の空気冷却体３３の吐出口３５から空気を流入させ、吸込口３４から流入した空気を吐出させることで、小径の吐出口３５から吸い込んだ低温の空気を急拡散させて、吸込口３４から吐出させる空気の温度を上げることができる。そのため、冬場では、凝縮器３を温めることができ、凝縮器３の冷え過ぎを防止することができる。これにより、除霜運転を無くしたり、除霜運転の時間を短くして室内の暖房運転の時間を長くすることができる。
【００４４】
請求項４に記載の凝縮器の補助冷却装置によれば、前記保水材３０の風上側に近接して空気冷却装置４０を配設し、前記空気冷却装置４０は、筒状であって、一端側を空気の吸込口３４とし、他端側は空気が吐出され前記吸込口３４の径より小径とした吐出口３５からなる多数個の空気冷却体３３と、前記空気冷却体３３を多数配設する平板状の支持体３６とで構成されているものであり、空気冷却装置４０により冷却された空気が補助冷却装置１０の保水材３０に送られるので、保水材３０に送られる空気が外気温度より冷却された空気が送られることになり、保水材３０にてさらに冷却された空気が凝縮器３に送られる。そのため、凝縮器の冷却効率を一層向上させることができる。また、空気冷却装置４０はランニングコストを不要としているので、ランニングコストは補助冷却装置１０の運転費用だけとなり、ランニングコストを増加させずに凝縮器の冷却効率を一層向上させることができる。
【００４５】
請求項５に記載の凝縮器の補助冷却装置によれば、前記室外機１の凝縮器３の風上側と、前記保水材３０の風下側との間に前記空気冷却装置４０を配設しているので、請求項４の効果に加えて、保水材３０からの水の飛沫が凝縮器３等にかからず、そのため放熱フィンを腐食させることもない。また、保水材３０と凝縮器３の間に空気冷却装置４０を配置させているので、夏場の熱風が凝縮器３に入り込むのを防いで、凝縮器３の冷却効率を低下させることもない。
【００４６】
請求項６に記載の凝縮器の補助冷却装置によれば、冬場においては、前記空気冷却装置４０を逆向きに配置しているものであり、空気冷却装置４０の空気冷却体３３の吐出口３５から空気を流入させ、吸込口３４から流入した空気を吐出させることで、小径の吐出口３５から吸い込んだ低温の空気を急拡散させて、吸込口３４から吐出させる空気の温度を上げることができる。そのため、冬場では、凝縮器３を温めることができ、凝縮器３の冷え過ぎを防止することができる。これにより、除霜運転を無くしたり、除霜運転の時間を短くして室内の暖房運転の時間を長くすることができる。
【図面の簡単な説明】
【００４７】
【図１】本発明の第１の実施の形態における空気冷却体の斜視図である。
【図２】本発明の第１の実施の形態における空気冷却体の断面図である。
【図３】本発明の第１の実施の形態における空気冷却体の説明図である。
【図４】本発明の第１の実施の形態における空気冷却装置の説明図である。
【図５】本発明の第１の実施の形態における空気冷却装置の正面図である。
【図６】本発明の第１の実施の形態における空気冷却装置の背面図である。
【図７】本発明の第１の実施の形態における空気冷却装置の側面図である。
【図８】本発明の第１の実施の形態における凝縮器の風上側に空気冷却装置を配設した場合の説明図である。
【図９】本発明の第１の実施の形態における凝縮器の風上側に空気冷却装置を２段配設した場合の説明図である。
【図１０】本発明の第２の実施の形態における補助冷却装置の保水材の風上側に空気冷却装置を配設した場合の説明図である。
【図１１】本発明の第２の実施の形態における空気冷却装置を凝縮器と保水材との間に配設した場合の説明図である。
【図１２】従来例の室外機と補助冷却装置の概略構成図である。
【図１３】他の従来例の室外機と補助冷却装置の概略構成図である。
【図１４】他の従来例の補助冷却装置の正面図である。
【図１５】冷凍サイクルを示す図である。
【図１６】保水材を製作する場合の説明図である。
【図１７】保水材を製作する場合の説明図である。
【図１８】保水材を製作する場合の説明図である。
【図１９】保水材を製作する場合の説明図である。
【図２０】保水材の要部拡大断面図である。
【発明を実施するための形態】
【００４８】
（第１の実施の形態）
以下、本発明の第１の実施の形態を図面を参照して詳細に説明する。図１は、自然に空気を冷却させる空気冷却体３３の斜視図を示しており、一方を空気を吸い込む吸込口３４とし、他方を前記吸込口３４より小径とし、吸込口３４から吸い込んだ空気を吐出する吐出口３５としている。
この空気冷却体３３の大きさは、例えば、市販のペットボトル程度の大きさであり、材料としては、プラスティックを用いて軽量化を図っている。これは、空気冷却体３３を凝縮器３の風上側に多数配置することから、空気冷却体３３の重さは軽くすることが望ましい。
【００４９】
図２は空気冷却体３３の断面図を示しており、吐出口３５の直径は、吸込口３４の直径より１／３〜１／５程度が望ましい。
【００５０】
図３は空気冷却体３３内の空気の流れを示しており、空気冷却体３３は上述したように凝縮器３の風上側に配置され、室外機１の冷却ファン４により空気冷却体３３の吸込口３４から空気が吸い込まれ、吐出口３５から空気が吐出されて、この吐出された空気が凝縮器３に送られる。
【００５１】
図３に示すように、空気冷却体３３の吸込口３４から吸い込まれた空気は吐出口３５側で急圧縮され、さらに吐出口３５から出た空気は急拡散されることで、吐出された空気は冷却されることになる。
【００５２】
図４は、空気冷却体３３を多数配置する場合の説明図を示し、平板状の支持体３６には多数の孔３７が穿孔されており、この孔３７に空気冷却体３３の吐出口３５の部分を圧入することで、空気冷却体３３を支持体３６に固定配置するようにしている。ここで、孔３７に圧入する吐出口３５側の部位を固定部３８と称する。
支持体３６の孔３７の内径を、空気冷却体３３の固定部３８の外径より若干小さくして、空気冷却体３３の固定部３８を支持体３６の孔３７への圧入を容易にしている。
【００５３】
図５は支持体３６の各孔３７に空気冷却体３３を配置した場合の風上側から見た正面図を示し、図６は風下側から見た支持体３６の背面図を示している。図７は空気冷却体３３を配置した場合の支持体３６の側面図を示している。ここで、多数の空気冷却体３３を支持体３６に配置した場合の、多数の空気冷却体３３と支持体３６とで空気冷却装置４０と称する。
また、空気冷却装置４０の支持体３６の大きさは室外機１の凝縮器３の大きさとほぼ同じ大きさとしている。
【００５４】
なお、空気冷却体３３は、円筒状としているが、四角筒状でもよく、また、円錐状でもよい。
【００５５】
図８は、室外機１の凝縮器３の風上側に配置した場合を示しており、空気冷却装置４０にて冷却された空気を凝縮器３に送ることで、凝縮器３が冷却され、凝縮器の冷却効率を向上させることができる。
また、補助冷却装置１０を用いていないので、補助冷却装置１０に必要な電気代、水道代等を不要としてランニングコストをゼロとすることができる。また、従来の補助冷却装置１０では水を循環させていたので、水の飛沫が凝縮器３等にかかっていたが、本実施形態では水を用いていないので、放熱フィンを腐食させることもない。
【００５６】
図９は、図８の実施形態に対して、空気冷却装置４０の風上側にさらに同様の構成の空気冷却装置４０を配置した場合を示している。
本実施形態では、空気冷却装置４０を２段構成としているので、図８に示す実施形態の効果に加えて、凝縮器３に送る空気の温度をさらに低下させて、凝縮器の冷却効率を一層向上させることができる。
【００５７】
（第２の実施の形態）
図１０は第２の実施形態を示し、本実施形態では従来の補助冷却装置１０に空気冷却装置４０を配置した場合である。補助冷却装置１０の構成は従来と同様であり、また、空気冷却装置４０の構成も先の実施形態と同様の構成としている。
【００５８】
図１０の場合では、空気冷却装置４０により冷却された空気が補助冷却装置１０の保水材３０に送られるので、保水材３０に送られる空気が外気温度より冷却された空気が送られることになり、保水材３０にてさらに冷却された空気が凝縮器３に送られる。そのため、凝縮器の冷却効率を一層向上させることができる。また、空気冷却装置４０は上述したようにランニングコストを不要としているので、ランニングコストは補助冷却装置１０の運転費用だけとなり、ランニングコストを増加させずに凝縮器の冷却効率を一層向上させることができる。
【００５９】
図１１は室外機１の凝縮器３と、補助冷却装置１０の保水材３０との間に空気冷却装置４０を配置した場合を示している。本実施形態では、図１０の実施形態の場合の効果に加えて、保水材３０からの水の飛沫が凝縮器３等にかからず、そのため放熱フィンを腐食させることもない。
また、保水材３０と凝縮器３の間に空気冷却装置４０を配置させているので、夏場の熱風が凝縮器３に入り込むのを防いで、凝縮器３の冷却効率を低下させることもない。
【００６０】
上記各実施形態においては、夏場の高温時の場合であるが、冬場の場合では、空気冷却装置４０の方向を逆にして配置しても良い。空気冷却装置４０の空気冷却体３３の吐出口３５から空気を流入させ、吸込口３４から流入した空気を吐出させることで、小径の吐出口３５から吸い込んだ低温の空気を急拡散させて、吸込口３４から吐出させる空気の温度を上げることができる。
そのため、冬場では、凝縮器３を温めることができ、凝縮器３の冷え過ぎを防止することができる。これにより、除霜運転を無くしたり、除霜運転の時間を短くして室内の暖房運転の時間を長くすることができる。
【符号の説明】
【００６１】
１  室外機
３  凝縮器
１３  水回収装置
１４  ポンプ
１５  給水管
３０  保水材
３３  空気冷却体
３４  吸込口
３５  吐出口
３６  支持体
４０  空気冷却装置
【図１】
2018004205.tif 000003
【図２】
2018004205.tif 000004
【図３】
2018004205.tif 000005
【図４】
2018004205.tif 000006
【図５】
2018004205.tif 000007
【図６】
2018004205.tif 000008
【図７】
2018004205.tif 000009
【図８】
2018004205.tif 000010
【図９】
2018004205.tif 000011
【図１０】
2018004205.tif 000012
【図１１】
2018004205.tif 000013
【図１２】
2018004205.tif 000014
【図１３】
2018004205.tif 000015
【図１４】
2018004205.tif 000016
【図１５】
2018004205.tif 000017
【図１６】
2018004205.tif 000018
【図１７】
2018004205.tif 000019
【図１８】
2018004205.tif 000020
【図１９】
2018004205.tif 000021
【図２０】
2018004205.tif 000022